(57)【要約】【課題】容易に鉄骨梁を耐火被覆材で被覆することができる鉄骨梁の耐火被覆構造および鉄骨梁の耐火被覆方法を提供する。【解決手段】上部にデッキプレート２が取り付けられた鉄骨梁３がシート状の耐火被覆材４で被覆された鉄骨梁の耐火被覆構造１Ａにおいて、耐火被覆材をデッキプレート２に固定する固定具５Ａを有し、固定具５Ａは、鉄骨梁３の側方においてデッキプレート２に上側から貫通可能に構成されるとともにデッキプレート２に係止可能に構成され、デッキプレート２の下側において耐火被覆材４が挿し込み可能に構成されたネジ５１と、ネジ５１の径よりも大きく形成され、耐火被覆材４の下側においてネジ５１に挿通可能に構成されるとともに、ネジ５１に係止可能に構成され、耐火被覆材４を下側から支持可能に構成された支持部材５２Ａと、を有する。【選択図】図１
2017110485.tif 000002
【特許請求の範囲】
【請求項１】
上部にデッキプレートが取り付けられた鉄骨梁がシート状の耐火被覆材で被覆された鉄骨梁の耐火被覆構造において、
前記耐火被覆材を前記デッキプレートに固定する固定具を有し、
前記固定具は、前記鉄骨梁の側方において前記デッキプレートに上側から貫通可能に構成されるとともに該デッキプレートに係止可能に構成され、該デッキプレートの下側において前記耐火被覆材が挿し込み可能に構成されたネジと、
該ネジの径よりも大きく形成され、前記耐火被覆材の下側において前記ネジに挿通可能に構成されるとともに該ネジに係止可能に構成され、前記耐火被覆材を下側から支持可能に構成された支持部材と、を有することを特徴とする鉄骨梁の耐火被覆構造。
【請求項２】
前記支持部材には、前記ネジが係止可能な被係止片が形成されていて、
前記支持部材に前記ネジが挿通された状態における前記ネジに対する前記支持部材の下向きの移動は、前記被係止片が前記ネジに係止されて拘束され、
前記支持部材に前記ネジが挿通された状態における前記ネジに対する前記支持部材の上向きの移動は、前記被係止片が前記ネジに係止されずに許容されていることを特徴とする請求項１に記載の鉄骨梁の耐火被覆構造。
【請求項３】
前記支持部材は、前記耐火被覆材の下側において前記ネジに挿通可能に構成され、前記耐火被覆材を下側から支持可能に構成された板部材と、
該板部材の下側において前記ネジに係止可能に構成され、前記板部材を下側から支持可能に構成されたナットと、を有することを特徴とする請求項１に記載の鉄骨梁の耐火被覆構造。
【請求項４】
前記支持部材には、前記ネジが螺合可能なネジ孔が形成されていて、
該ネジ孔に前記ネジが螺合すると前記支持部材が前記ネジに係止されることを特徴とする請求項１に記載の鉄骨梁の耐火被覆構造。
【請求項５】
上部にデッキプレートが取り付けられた鉄骨梁をシート状の耐火被覆材で被覆する鉄骨梁の耐火被覆方法において、
前記鉄骨梁の側方において前記デッキプレートに上面からネジを貫通させ該ネジをデッキプレートに支持させるネジ設置工程と、
前記デッキプレートの下側において前記ネジに対して前記耐火被覆材を挿し込む耐火被覆材挿し込み工程と、
前記耐火被覆材の下側において、前記ネジの径よりも大きく形成された支持部材を前記ネジに挿通し、前記支持部材を前記ネジに係止させるとともに前記支持部材に前記耐火被覆材を支持させる支持部材設置工程と、を有することを特徴とする鉄骨梁の耐火被覆方法。
【発明の詳細な説明】
【技術分野】
【０００１】
本発明は、鉄骨梁の耐火被覆構造および鉄骨梁の耐火被覆方法に関する。
【背景技術】
【０００２】
従来、シート状に形成されて鉄骨に巻きつけるタイプの耐火被覆材が知られている。このような耐火被覆材で鉄骨梁を被覆する場合、溶接ピンを用いて耐火被覆材を鉄骨梁に固定している（例えば、特許文献１参照）。
【先行技術文献】
【特許文献】
【０００３】
【特許文献１】特開２００５−１７９９０３号公報
【発明の概要】
【発明が解決しようとする課題】
【０００４】
しかしながら、溶接ピンを用いた耐火被覆材の鉄骨梁への固定は、専門の技量が必要となるが、このような専門の技量を持つ職人が不足しているという問題がある。このため、専門の技量を必要とせずに容易に鉄骨梁を耐火被覆材で被覆することができる技術が望まれている。
【０００５】
そこで、本発明は、容易に鉄骨梁を耐火被覆材で被覆することができる鉄骨梁の耐火被覆構造および鉄骨梁の耐火被覆方法を提供することを目的とする。
【課題を解決するための手段】
【０００６】
上記目的を達成するため、本発明に係る鉄骨梁の耐火被覆構造は、上部にデッキプレートが取り付けられた鉄骨梁がシート状の耐火被覆材で被覆された鉄骨梁の耐火被覆構造において、前記耐火被覆材を前記デッキプレートに固定する固定具を有し、前記固定具は、前記鉄骨梁の側方において前記デッキプレートに上側から貫通可能に構成されるとともに該デッキプレートに係止可能に構成され、該デッキプレートの下側において前記耐火被覆材が挿し込み可能に構成されたネジと、該ネジの径よりも大きく形成され、前記耐火被覆材の下側において前記ネジに挿通可能に構成されるとともに該ネジに係止可能に構成され、前記耐火被覆材を下側から支持可能に構成された支持部材と、を有することを特徴とする。
【０００７】
また、本発明に係る鉄骨梁の耐火被覆方法は、上部にデッキプレートが取り付けられた鉄骨梁をシート状の耐火被覆材で被覆する鉄骨梁の耐火被覆方法において、前記鉄骨梁の側方において前記デッキプレートに上面からネジを貫通させ該ネジをデッキプレートに支持させるネジ設置工程と、前記デッキプレートの下側において前記ネジに対して前記耐火被覆材を挿し込む耐火被覆材挿し込み工程と、前記耐火被覆材の下側において、前記ネジの径よりも大きく形成された支持部材を前記ネジに挿通し、前記支持部材を前記ネジに係止させるとともに前記支持部材に前記耐火被覆材を支持させる支持部材設置工程と、を有することを特徴とする。
【０００８】
本発明では、デッキプレートに支持されたネジに耐火被覆材を挿し込み、耐火被覆材の下側においてネジに支持部材を係止させることで、耐火被覆材が支持部材に引っ掛かるようにして支持されるため、容易に耐火被覆材をデッキプレートに固定することができる。
そして、耐火被覆材が鉄骨梁の側方においてデッキプレートに固定されることにより、耐火被覆材を溶接ピンなどで鉄骨梁に直接固定する必要がないため、容易に鉄骨梁を耐火被覆材で被覆することができる。
【０００９】
また、本発明に係る鉄骨梁の耐火被覆構造では、前記支持部材には、前記ネジが係止可能な被係止片が形成されていて、前記支持部材に前記ネジが挿通された状態における前記ネジに対する前記支持部材の下向きの移動は、前記被係止片が前記ネジに係止されて拘束され、前記支持部材に前記ネジが挿通された状態における前記ネジに対する前記支持部材の上向きの移動は、前記被係止片が前記ネジに係止されずに許容されている構成としてもよい。
このような構成とすることにより、支持部材をデッキプレートに係止されたネジに下側から挿通させ上側に移動させて所望の高さに配置すれば、支持部材が下側に移動することがないため、ネジに対して支持部材を容易に係止させることができて、容易に耐火被覆材をデッキプレートに固定することができる。
【００１０】
また、本発明に係る鉄骨梁の耐火被覆構造では、前記支持部材は、前記耐火被覆材の下側において前記ネジに挿通可能に構成され、前記耐火被覆材を下側から支持可能に構成された板部材と、該板部材の下側において前記ネジに係止可能に構成され、前記板部材を下側から支持可能に構成されたナットと、を有する構成としてもよい。
このような構成とすることにより、板部材がネジに係止されたナットによって支持されるため、耐火被覆材を確実にデッキプレートに固定することができる。
【００１１】
また、本発明に係る鉄骨梁の耐火被覆構造では、前記支持部材には、前記ネジが螺合可能なネジ孔が形成されていて、該ネジ孔に前記ネジが螺合すると前記支持部材が前記ネジに係止される構成としてもよい。
このような構成とすることにより、支持部材が確実かつ容易にネジに係止されるため、耐火被覆材を確実かつ容易にデッキプレートに固定することができる。
【発明の効果】
【００１２】
本発明によれば、専門の技量を必要とせずに容易に鉄骨梁を耐火被覆材で被覆することができる。
【図面の簡単な説明】
【００１３】
【図１】本発明の第１実施形態による鉄骨梁の耐火被覆構造の一例を示す図である。
【図２】図１のＡ−Ａ線断面図である。
【図３】（ａ）は固定具を説明する斜視図、（ｂ）は支持部材の側面図、（ｃ）は支持部材の平面図である。
【図４】（ａ）はネジ設置工程を説明する図、（ｂ）はネジ設置工程を説明する図で（ａ）のＢ部分の拡大図である。
【図５】（ａ）は第１耐火被覆材挿し込み工程を説明する図、（ｂ）は第１耐火被覆材挿し込み工程を説明する図で（ａ）のＣ部分の拡大図である。
【図６】（ａ）は第１支持部材設置工程を説明する図、（ｂ）は第１支持部材設置工程を説明する図で（ａ）のＤ部分の拡大図である。
【図７】第２耐火被覆材挿し込み工程を説明する図である。
【図８】第２支持部材設置工程を説明する図である。
【図９】コンクリートスラブ構築工程を説明する図である。
【図１０】（ａ）は第２実施形態による鉄骨梁の耐火被覆構造の固定具を説明する図、（ｂ）は固定具によって耐火被覆材がデッキプレートに固定された様子を説明する図である。
【図１１】（ａ）は第３実施形態による鉄骨梁の耐火被覆構造の固定具を説明する図、（ｂ）は固定具によって耐火被覆材がデッキプレートに固定された様子を説明する図である。
【図１２】（ａ）は本発明の実施形態の変形例を説明する図、（ｂ）は耐火被覆材を柱や壁に固定する固定具を説明する図である。
【図１３】本発明の実施形態の他の変形例を説明する図である。
【図１４】本発明の実施形態の更に他の変形例を説明する図である。
【発明を実施するための形態】
【００１４】
（第１実施形態）
以下、本発明の第１実施形態による鉄骨梁の耐火被覆構造および鉄骨梁の耐火被覆方法について、図１乃至図８に基づいて説明する。
図１および図２に示すように、本実施形態による鉄骨梁の耐火被覆構造１Ａは、上部にデッキプレート２が取り付けられた鉄骨梁３の耐火被覆構造で、鉄骨梁３がシート状の耐火被覆材４で被覆されている。なお、図２では、耐火被覆材４の内側を示すため耐火被覆材４を一点鎖線で示している。
鉄骨梁３は、例えば、Ｈ形鋼で構成されていて、上部フランジ３１の上にデッキプレート２が取り付けられている。鉄骨梁３が延びる方向を長さ方向とし、この長さ方向に直交する水平方向を幅方向とする。
【００１５】
デッキプレート２は、上部フランジ３１に取り付けられる平板状の平板部２１と、平板部２１の下側から突出する複数のリブ２２，２２…と、を有するフラットデッキで構成されている。本実施形態では、デッキプレート２は、リブ２２，２２…の延びる方向が鉄骨梁３の幅方向となる向きに配置されている。
デッキプレート２は、リブ２２，２２…が鉄骨梁３と干渉しないように、リブ２２，２２…の鉄骨梁側の端部が鉄骨梁３と離間するように配置されている。本実施形態では、リブ２２，２２…の鉄骨梁３側の端部と鉄骨梁３とは、４０ｍｍ程度離間している。
【００１６】
図１に示すように、デッキプレート２の平板部２１のうち、鉄骨梁の幅方向一方側に配置されたリブ２２，２２…と鉄骨梁３側の端部と鉄骨梁３との間の部分を第１耐火被覆材固定部２３とし、うち、鉄骨梁３の幅方向他方側に配置されたリブ２２，２２…の鉄骨梁３側の端部と鉄骨梁３との間の部分を第２耐火被覆材固定部２４とする。
また、リブ２２，２２…の鉄骨梁３側の端部近傍は、下側の部分が鉄骨梁３側からと鉄骨梁３と離間する側に向かって漸次下側に向かうように傾斜している。このリブ２２，２２…の下面の傾斜している部分を傾斜部２２１，２２１…とする。
デッキプレート２の上部には、所定量の鉄筋（不図示）が配筋されてコンクリート６が打設されている。
【００１７】
耐火被覆材４は、グラスウールやロックウールなどの耐火材を所定の厚さのシート状にした部材で、鉄骨梁３に巻きつけ可能に構成されている。本実施形態では、耐火被覆材４は、鉄骨梁３の長さ方向に隙間なく複数配列されている。
耐火被覆材４は、鉄骨梁３の幅方向一方の側方を覆う第１側部被覆部４１と、鉄骨梁３の幅方向他方の側方を覆う第２側部被覆部４２と、第１側部被覆部４１および第２側部被覆部４２それぞれの下端部と連続し鉄骨梁３の下部フランジ３２の下面を覆う下部被覆部４３と、第１側部被覆部４１の上端部と連続しデッキプレート２の第１耐火被覆材固定部２３に固定される第１固定部４４と、第２側部被覆部４２の上端部と連続しデッキプレート２の第２耐火被覆材固定部２４に固定される第２固定部４５と、を有している。
【００１８】
第１側部被覆部４１および第２側部被覆部４２は、それぞれ鉄骨梁３の上部フランジ３１の幅方向の端部と、下部フランジ３２の幅方向の端部とを結ぶように上下方向に延びている。
第１固定部４４は、第１側部被覆部４１側が第１耐火被覆材固定部２３と当接し、第１側部被覆部４１と離間する側がリブ２２，２２…の傾斜部２２１，２２１…の下側に配置されている。
第２固定部４５は、第２側部被覆部４２側が第２耐火被覆材固定部２４と当接し、第２側部被覆部４２と離間する側がリブ２２，２２…の傾斜部２２１，２２１…の下側に配置されている。
【００１９】
図１乃至図３に示すように、固定具５Ａは、デッキプレート２の第１耐火被覆材固定部２３および第２耐火被覆材固定部２４に上側から貫通されるネジ５１と、ネジ５１の径よりも大きく形成され、ネジ５１に対して下側から挿通されてネジ５１に係止される支持部材５２Ａと、を有している。
ネジ５１は、デッキプレート２の第１耐火被覆材固定部２３および第２耐火被覆材固定部２４に上側から挿し込まれて、頭部５１１がデッキプレート２の上側に配置され、ネジ部５１２がデッキプレート２の下側に配置された状態でデッキプレート２に係止されている。図３（ａ）に示すように、ネジ部５１２には、所定のピッチのネジ山５１３が形成されている。
支持部材５２Ａは、ネジ５１の径よりも大きい例えば外形が３０ｍｍ程度の円板状の板材５２１を加工した部材で、略中央部にネジ部５１２が挿通される孔部５２２が形成されているとともに、孔部５２２の径方向外側に形成されてネジ部５１２が係止可能な一対の被係止片５２３，５２３が形成されている。
【００２０】
一対の被係止片５２３，５２３は、孔部５２２を挟むように配置されていて、板材５２１に孔部５２２の縁部から径方向外側に２つずつ切り込みを入れて、２つの切り込みの間の部分を一方の板面側に斜めに突出するように折り曲げることで形成されている。なお、支持部材５２Ａは、それぞれ板面が略上下方向を向き、一対の被係止片５２３，５２３がそれぞれ斜め下側に突出する向きに配置されている。
一対の被係止片５２３，５２３は、先端部が隣り合うネジ山５１３，５１３の間に入り込むことが可能に構成されている。
【００２１】
支持部材５２Ａは、一対の被係止片５２３，５２３が斜め下側に突出していることにより、ネジ５１が挿通された状態において、ネジ５１に対して上側に向かう方向には一対の被係止片５２３，５２３のそれぞれの先端部がネジ山５１３と当たりつつも移動が許容され、ネジ５１に対して下側に向かう方向には一対の被係止片５２３，５２３のそれぞれの先端部が隣り合うネジ山５１３，５１３の間に入り込んで移動が拘束されるように構成されている。
なお、支持部材５２Ａをネジ５１から下側に移動させて外すには、ネジ山５１３に沿って支持部材５２Ａを螺旋状に回すことで外れるように構成されている。
【００２２】
図１に戻り、このような固定具５Ａは、デッキプレート２を貫通したネジ５１にデッキプレート２の下側において耐火被覆材４が挿しこまれ、耐火被覆材４の下側からネジ５１に支持部材５２Ａを挿し込んで支持部材５２Ａがネジ５１に係止されて、支持部材５２Ａが耐火被覆材４を下側から支持することで、耐火被覆材４をデッキプレート２に固定している。
また、固定具５Ａは、１つの耐火被覆材４に対して、第１耐火被覆材固定部２３側に鉄骨梁３の長さ方向に間隔をあけて４つずつ配置され、第２耐火被覆材固定部２４側に鉄骨梁３の長さ方向に間隔をあけて４つずつ配置されている。
【００２３】
次に、本実施形態による鉄骨梁の耐火被覆方法について説明する。
まず、図４に示すように、デッキプレート２にネジ５１を挿し込むネジ設置工程を行う。
デッキプレート２の第１耐火被覆材固定部２３および第２耐火被覆材固定部２４に上側からネジ５１を貫通させ、ネジ５１の頭部５１１をデッキプレート２の上に配置させるとともにネジ部５１２がデッキプレート２の下側に配置させて、ネジ５１をデッキプレート２に支持された状態とする。
【００２４】
続いて、図５に示すように、第１耐火被覆材固定部２３を貫通したネジ５１に耐火被覆材４の第１固定部４４を挿し込む第１耐火被覆材挿し込み工程（耐火被覆材挿し込み工程）を行う。
デッキプレート２下側において、第１耐火被覆材固定部２３を貫通したネジ５１に耐火被覆材の第１固定部４４を挿し込んでデッキプレート２に当接させる。このとき、第１側部被覆部４１が鉄骨梁３の幅方向の一方側に配置された状態とする。
【００２５】
続いて、図６に示すように、第１固定部４４が挿し込まれたネジ５１に支持部材５２Ａを挿し込み、支持部材５２Ａで耐火被覆材４を支持する第１支持部材設置工程（支持部材設置工程）を行う。
支持部材５２Ａ側からネジ５１に挿し込み、所定の高さに配置する。これにより、所定の高さにおいて支持部材５２Ａの一対の被係止片５２３，５２３がそれぞれ隣り合うネジ山５１３，５１３の間に入り込んで係止され、支持部材５２Ａの上側の耐火被覆材４が下方へ移動しないようにデッキプレート２に固定される。
【００２６】
続いて、図７に示すように、第１固定部４４がデッキプレート２に固定された状態の耐火被覆材４で鉄骨梁３を巻き込み、耐火被覆材４の第２固定部４５を第２耐火被覆材固定部２４を貫通したネジ５１に挿し込む第２耐火被覆材挿し込み工程（耐火被覆材挿し込み工程）を行う。
デッキプレート２の下側において、第２耐火被覆材固定部２４を貫通したネジ５１に耐火被覆材４の第２固定部４５を挿し込んでデッキプレート２に当接させる。このとき、下部被覆部４３が鉄骨梁３の下面に沿って配置され、第２側部被覆部４２が鉄骨梁３の幅方向の他方側に配置された状態とする。
【００２７】
続いて、図８に示すように、第２固定部４５が挿し込まれたネジ５１に支持部材５２Ａ挿し込み、支持部材５２Ａで耐火被覆材４を支持する第２支持部材設置工程（支持部材設置工程）を行う。
支持部材５２Ａを下側からネジ５１に挿し込み、所定の高さに配置する。これにより、所定の高さにおいて支持部材５２Ａの一対の被係止片５２３，５２３（図３参照）がそれぞれ隣り合うネジ山５１３，５１３（図３参照）の間に入り込んで係止され、支持部材５２Ａの上側の耐火被覆材４が下方へ移動しないようにデッキプレート２に固定される。
そして、耐火被覆材４の第１固定部４４および第２固定部４５がそれぞれデッキプレート２に固定されることで鉄骨梁３が耐火被覆材４に被覆される。
【００２８】
続いて、図９に示すように、デッキプレートの上部にコンクリート６を打設し、コンクリートスラブを構築するコンクリートスラブ構築工程を行う。
なお、コンクリートスラブ構築工程は、ネジ設置工程の後であれば鉄骨梁３に耐火被覆材４を被覆する前に行ってもよい。
【００２９】
次に、本実施形態による鉄骨梁の耐火被覆構造および鉄骨梁の耐火被覆方法の作用・効果について図面を用いて説明する。
本実施形態による鉄骨梁の耐火被覆構造１Ａでは、デッキプレートに支持されたネジ５１に耐火被覆材４を挿し込み、耐火被覆材４の下側においてネジ５１に支持部材５２Ａを係止させることで、耐火被覆材４が支持部材５２Ａに引っ掛かるようにして支持されるため、容易に耐火被覆材４をデッキプレート２に固定することができる。そして、耐火被覆材４が鉄骨梁３の側方においてデッキプレート２に固定されることにより、耐火被覆材４を溶接ピンなどで鉄骨梁３に直接固定する必要がないため、容易に鉄骨梁３を耐火被覆材４で被覆することができる。
【００３０】
また、支持部材５２Ａをデッキプレート２係止されたネジ５１に下側から挿通させ上側に移動させて所望の高さに配置すれば、支持部材５２Ａが下側に移動することがないため、ネジ５１に対して支持部材５２Ａを容易に係止させることができて、容易に耐火被覆材４をデッキプレート２に固定することができる。
【００３１】
次に、他の実施形態について、添付図面に基づいて説明するが、上述の第１実施形態と同一又は同様な部材、部分には同一の符号を用いて説明を省略し、第１実施形態と異なる構成について説明する。
（第２実施形態）
図１０（ａ）および（ｂ）に示すように、第２実施形態による鉄骨梁の耐火被覆構造１Ｂでは、固定具５Ｂの支持部材５２Ｂが、耐火被覆材４の下側においてネジ５１に挿通可能に構成され、耐火被覆材４を下側から支持可能に構成された板部材５２５と、板部材５２５の下側においてネジ５１に係止可能に構成され、板部材５２５を下側から支持可能に構成されたナット５２６を有している。
板部材５２５は、外径がネジ５１の径よりも大きい例えば３０ｍｍ程度で、略中央部に孔部が形成された円板状の部材で構成されている。板部材５２５には、第１実施形態の支持部材５２Ａのような被係止片５２３は形成されていない。
ナット５２６は、ネジ５１のネジ部５１２に螺合可能で、ネジ部５１２の所望の位置に係止されるように構成されている。
【００３２】
第２実施形態では、デッキプレート２の第１耐火被覆材固定部２３および第２耐火被覆材固定部２４に挿通されたネジ５１にデッキプレート２の下側において耐火被覆材４が挿通され、耐火被覆材４の下側においてネジ５１に板部材５２５が挿通され、その下側においてナット５２６がネジ部５１２に螺合して所望の高さに係止されている。
これにより、板部材５２５がナット５２６を介してネジ５１に係止され、ネジ５１に係止された板部材５２５によって耐火被覆材４がデッキプレート２に固定されている。
【００３３】
第２実施形態による鉄骨梁の耐火被覆構造１Ｂでは、板部材５２５がネジ５１に係止されたナット５２６によって支持されるため、耐火被覆材４を確実にデッキプレート２に固定することができる。
【００３４】
（第３実施形態）
図１１（ａ）および（ｂ）に示すように、第３実施形態による鉄骨梁の耐火被覆構造１Ｃでは、固定部５Ｃの支持部材５２Ｃがネジ５１のネジ部５１２が螺合可能なネジ孔５２７を有する円板状に形成されている。
支持部材５２Ｃは、例えば、外径がネジ５１の径よりも大きい３０ｍｍ程度で、厚さが３ｍｍ以上に形成され、略中央部にネジ孔５２７が形成されている。支持部材５２Ｃは、ネジ５１に挿通されて、ネジ孔５２７にネジ部５１２が螺合することにより、ネジ部５１に係止されるように構成されている。また、支持部材５２Ｃをネジ５１に挿通した状態で回転させることで、支持部材５２Ｃを所望の高さにおいてネジ部５１２に係止させることができる。
【００３５】
第３実施形態では、デッキプレート２の第１耐火被覆材固定部２３および第２耐火被覆材固定部２４に挿通されたネジ５１にデッキプレート２の下側において耐火被覆材４が挿通され、耐火被覆材４の下側においてネジ５１に支持部材５２Ｃが挿通されている。
これにより、支持部材５２Ｃがネジ５１に係止され、ネジ５１に係止された支持部材５２Ｃによって耐火被覆材４がデッキプレート２に固定されている。
【００３６】
第３実施形態による鉄骨梁の耐火被覆構造１Ｃでは、支持部材５２Ｃが確実かつ容易にネジ５１に係止されるため、耐火被覆材４を確実かつ容易にデッキプレート２に固定することができる。
また、支持部材５２Ｃを回転させることでネジ５１に対する所望の位置に配置することができる。
【００３７】
以上、本発明による鉄骨梁の耐火被覆構造の実施形態について説明したが、本発明は上記の実施形態に限定されるものではなく、その趣旨を逸脱しない範囲で適宜変更可能である。
例えば、上記の実施形態では、耐火被覆材４の第１固定部４４および第２固定部４５が固定具５Ａ，５Ｂ，５Ｃによってデッキプレート２に固定されているが、図１２に示すように、第１固定部４４および第２固定部４５の一方のみ（図１２では第１固定部４４）が固定具５Ａ，５Ｂ，５Ｃでデッキプレート２に固定され、他方（図１２では第２固定部４５）が柱や壁に固定具７などで固定されていてもよい。耐火被覆材４を柱や壁に固定する固定具７は、例えば、耐火被覆材４を貫通するとともに柱や壁に挿し込まれるネジ７１と、ネジ７１に係止されて耐火被覆材４を押さえる円板状の押さえ板７２と、を有する形態としてもよい。
【００３８】
また、上記の実施形態では、デッキプレート２は、平板部２１と、平板部２１から突出するリブ２２，２２…と、を有するフラットデッキプレートで構成されているが、リブ２２，２２…が形成されていない平板部２１のみのデッキプレートで構成されていてもよい。また、図１３に示す鉄骨梁の耐火被覆構造１Ｄ、および図１４に示す鉄骨梁の耐火被覆構造１Ｅのように、凹凸が形成されたデッキプレート２Ａ，２Ｂが設けられていてもよい。このような場合は、デッキプレート２Ａ，２Ｂの凹凸の下側に凹んだ山下の部分２６に固定具５Ａ，５Ｂ，５Ｃのネジ５１が貫通することが好ましい。
【００３９】
また、上記の実施形態では、デッキプレート２は、リブ２２，２２…の延びる方向が鉄骨梁３の幅方向となる向きに配置されているが、リブ２２，２２…の延びる方向が鉄骨梁３の長さ方向となる向きに配置されていてもよい。
また、上記の実施形態では、固定具５Ａ，５Ｂ，５Ｃは、１つの耐火被覆材４に対して、第１耐火被覆材固定部２３側に鉄骨梁３の長さ方向に間隔をあけて４つ設けられ、第２耐火被覆材固定部２４側に鉄骨梁３の長さ方向に間隔をあけて４つ設けられているが、１つの耐火被覆材４に対して設けられる固定具５Ａ，５Ｂ，５Ｃの数は適宜設定されてよい。
また、上記の第１実施形態では、支持部材５２Ａに一対の被係止片５２３，５２３が形成されているが、形成される被係止片５２３の数は適宜設定されてよい。また、第１実施形態において、支持部材５２Ａが一対の被係止片５２３，５２３が形成された部材に代わって、ネジ５１が挿通可能なプッシュナットなどの部材で構成されていてもよい。
【符号の説明】
【００４０】
１Ａ〜１Ｅ  鉄骨梁の耐火被覆構造
２，２Ａ，２Ｂ  デッキプレート
３  鉄骨梁
４  耐火被覆材
５Ａ，５Ｂ，５Ｃ  固定具
５１  ネジ
５２Ａ，５２Ｂ，５２Ｃ  支持部材
５２３  被係止片
５２５  板部材
５２７  ネジ孔
【図１】
2017110485.tif 000003
【図２】
2017110485.tif 000004
【図３】
2017110485.tif 000005
【図４】
2017110485.tif 000006
【図５】
2017110485.tif 000007
【図６】
2017110485.tif 000008
【図７】
2017110485.tif 000009
【図８】
2017110485.tif 000010
【図９】
2017110485.tif 000011
【図１０】
2017110485.tif 000012
【図１１】
2017110485.tif 000013
【図１２】
2017110485.tif 000014
【図１３】
2017110485.tif 000015
【図１４】
2017110485.tif 000016